(57)【要約】  行先ボタンの操作後に割当かごが表示開始してから所定時間にわたって割当かごの表示を特殊な表示形態に設定し、乗場の乗客に割当かごを明確に認知させることのできるエレベーターの乗場表示装置を得る。  行先階登録装置１０は、行先ボタン１１および割当てかご表示パネル１２を有し、エレベーター群管理制御装置２０は、行先ボタン１１の操作に応じた乗場行先呼びを登録する乗場行先呼び登録手段２１と、乗場行先呼びに応答すべき割当かごを決定する割当かご決定手段２２と、割当かごの表示形態を設定する割当かご表示形態制御手段２３と、設定された表示形態で割当てかご表示パネル１２に割当かごを表示させる割当かご表示手段２４とを含む。  割当かご表示形態制御手段２３は、割当てかご表示パネル１２に割当かごの表示を開始してから所定時間が経過するまでの期間にわたって、割当かごの表示を第１の表示形態に設定し、所定時間の経過後は、割当かごの表示を第２の表示形態に設定する。【特許請求の範囲】
【請求項１】
複数のエレベーターかごを制御するエレベーター群管理制御装置と、
前記エレベーター群管理制御装置に接続されるとともに、前記複数のエレベーターかごのサービス階床に対応する乗場に設置された行先階登録装置とを備え、
前記行先階登録装置は、行先ボタンと、前記行先ボタンに隣接して設置された割当てかご表示パネルとを有し、
前記エレベーター群管理制御装置は、
前記行先ボタンの操作に応じた乗場行先呼びを登録する乗場行先呼び登録手段と、
前記乗場行先呼びに応答すべき割当かごを決定する割当かご決定手段と、
前記割当かごの表示形態を設定する割当かご表示形態制御手段と、
前記割当かご表示形態制御手段により設定された表示形態で、前記割当てかご表示パネルに前記割当かごを表示させる割当かご表示手段とを含み、
前記行先ボタンの操作に応答して、前記乗場行先呼びが登録されて前記割当かごが決定されると、前記割当かご表示パネルに前記割当かごを表示するエレベーターの乗場表示装置であって、
前記割当かご表示形態制御手段は、
前記割当てかご表示パネルに前記割当かごの表示を開始してから前記所定時間が経過するまでの期間にわたって、前記割当かごの表示を第１の表示形態に設定し、
前記割当かごの表示を開始してから所定時間が経過した後は、前記割当かごの表示を第２の表示形態に設定することを特徴とするエレベーターの乗場表示装置。
【請求項２】
前記エレベーター群管理制御装置は、
前記行先ボタンの操作状態を検出する乗場行先ボタン操作検出手段を含み、
前記乗場行先ボタン操作検出手段からの検出信号に応答して、前記行先ボタンが操作されてから前記所定時間が経過するまでの期間にわたって、前記割当かごの表示を前記第１の表示形態に設定し、
前記行先ボタンが操作されてから前記所定時間が経過した後は、前記割当かごの表示を前記第２の表示形態に設定することを特徴とする請求項１に記載のエレベーターの乗場表示装置。
【請求項３】
前記行先階登録装置は、同一の乗場に並列に設置され且つ互いに同一構成からなる複数の行先階登録装置を含み、
前記割当かご表示形態制御手段および前記割当かご表示手段は、
前記複数の行先階登録装置の各行先ボタンの操作に応答して、前記乗場行先呼びが登録されて前記割当かごが決定されると、前記割当かご表示形態制御手段により設定された表示形態で、前記複数の行先階登録装置ごとの各割当かご表示パネルに前記割当かごを表示させるとともに、
前記割当てかご表示パネルに前記割当かごの表示を開始してから前記所定時間が経過するまでの期間にわたって、前記複数の行先階登録装置のうち、前記行先ボタンが操作された行先階登録装置の割当てかご表示パネルにおける前記割当かごの表示のみを前記第１の表示形態に設定することを特徴とする請求項１または請求項２に記載のエレベーターの乗場表示装置。
【請求項４】
前記第１の表示形態は、点滅表示であり、
前記第２の表示形態は、点灯表示であることを特徴とする請求項１から請求項３までのいずれか１項に記載のエレベーターの乗場表示装置。
【請求項５】
前記第１の表示形態は、第１の色表示であり、
前記第２の表示形態は、前記第１の色表示とは異なる第２の色表示であることを特徴とする請求項１から請求項４までのいずれか１項に記載のエレベーターの乗場表示装置。
【発明の詳細な説明】
【技術分野】
【０００１】
この発明は、乗場に行先ボタンが設置されたエレベーターの乗場表示装置に関し、特に乗場で行先ボタンを操作した乗客に、乗場行先呼びに応答すべき割当かごを明確に認知させるための新規な技術に関するものである。
【背景技術】
【０００２】
一般に、エレベーターかごのサービス階床となる乗場には、行先階登録装置が設置されており、行先階登録装置上には、行先ボタンおよび割当てかご表示パネルが隣接配置されている。また、行先階登録装置は、エレベーター群管理制御装置内の乗場行先呼び登録手段および割当かご表示手段に接続されている。【０００３】
これにより、乗場で行先階登録装置の行先ボタンが操作されて乗場行先呼びが登録されると、エレベーター群管理制御装置において乗場行先呼びに応答すべき割当かごが決定され、行先階登録装置の割当かご表示パネルに割当かごが表示される。【０００４】
さらに、従来のエレベーターの乗場表示装置として、行先ボタンが操作された乗客待機階に割当かごが到着するまで、割当かご表示パネル上の割当かご表示を継続することにより、利用者が実際に乗るべきエレベーターを容易に認識できるようした装置が提案されている（たとえば、特許文献１参照）。【０００５】
【特許文献１】特開２０００−２７２８５０号公報
【発明の開示】
【発明が解決しようとする課題】
【０００６】
上記のような従来のエレベーターの乗場表示装置は、登録されている行先階ごとに割当かごが表示されることから、多数の階の乗場行先呼びが登録されている場合には、多数の割当かごが表示されるので、その中から乗客が自分の行先階に対応した割当かごを認識するのに時間がかかるという課題があった。
また、既に登録中の行先ボタンが再度操作された場合には、操作した行先階に対応する割当かごの表示を速やかに判断することができず、どのエレバーター号機に乗ればよいのか迷ってしまうという課題があった。
【課題を解決するための手段】
【０００７】
この発明に係るエレベーターの乗場表示装置は、複数のエレベーターかごを制御するエレベーター群管理制御装置と、エレベーター群管理制御装置に接続されるとともに、複数のエレベーターかごのサービス階床に対応する乗場に設置された行先階登録装置とを備え、行先階登録装置は、行先ボタンと、行先ボタンに隣接して設置された割当てかご表示パネルとを有し、エレベーター群管理制御装置は、行先ボタンの操作に応じた乗場行先呼びを登録する乗場行先呼び登録手段と、乗場行先呼びに応答すべき割当かごを決定する割当かご決定手段と、割当かごの表示形態を設定する割当かご表示形態制御手段と、割当かご表示形態制御手段により設定された表示形態で、割当てかご表示パネルに割当かごを表示させる割当かご表示手段とを含み、行先ボタンの操作に応答して、乗場行先呼びが登録されて割当かごが決定されると、割当かご表示パネルに割当かごを表示するエレベーターの乗場表示装置であって、割当かご表示形態制御手段は、割当てかご表示パネルに割当かごの表示を開始してから所定時間が経過するまでの期間にわたって、割当かごの表示を第１の表示形態に設定し、割当かごの表示を開始してから所定時間が経過した後は、割当かごの表示を第２の表示形態に設定するものである。
【発明の効果】
【０００８】
この発明によれば、乗場で行先ボタンを操作した乗客に、乗場行先呼びに応答すべき割当かごを明確に認知させることにより、割当かごの乗場への到着時にスムーズに乗客に乗車を促すことができる。
【図面の簡単な説明】
【０００９】
【図１】この発明の実施例１に係るエレベーターの乗場表示装置の全体構成を示すブロック図である。（実施例１）
【図２】この発明の実施例１に係るエレベーターの乗場表示装置の回路構成を示すブロック図である。（実施例１）
【図３】この発明の実施例１に係るエレベーターの乗場表示装置の具体的動作例を示すフローチャートである。（実施例１）
【図４】この発明の実施例２に係るエレベーターの乗場表示装置の全体構成を示すブロック図である。（実施例２）
【図５】この発明の実施例２に係るエレベーターの乗場表示装置の具体的動作例を示すフローチャートである。（実施例２）
【図６】この発明の実施例３に係るエレベーターの乗場表示装置の全体構成を示すブロック図である。（実施例３）
【図７】この発明の実施例３に係るエレベーターの乗場表示装置の回路構成を示すブロック図である。（実施例３）
【図８】この発明の実施例３に係るエレベーターの乗場表示装置の具体的動作例を示すフローチャートである。（実施例３）
【発明を実施するための最良の形態】
【００１０】
この発明は、上述のような課題を解決するためになされたもので、乗場で行先ボタンを操作した乗客に、応答すべき割当かごを明確に認知させて、スムーズに乗車を促すことのできるエレベーターの乗場表示装置を得ることを目的とする。
【実施例１】
【００１１】
図１はこの発明の実施例１に係るエレベーターの乗場表示装置の全体構成を周辺関連装置とともに示すブロック図である。
図１において、行先階登録装置１０は、エレベーターかご（以下、単に「かご」ともいう）４０の各サービス階床の乗場に設置され、各階床に対応して配列された複数の行先ボタン１１と、各行先ボタン１１に対応して隣接配置された割当かご表示パネル１２とを備えている。【００１２】
エレベーター群管理制御装置２０は、行先ボタン１１の操作に応じた乗場行先呼びを登録する乗場行先呼び登録手段２１と、登録された乗場行先呼びに応答すべき割当かごを決定する割当かご決定手段２２と、割当かごの表示形態を設定する割当かご表示形態制御手段２３と、割当かご表示形態制御手段２３により設定された表示形態で、割当てかご表示パネル１２に割当かごを表示させる割当かご表示手段２４とを備えている。【００１３】
エレベーター群管理制御装置２０内の割当かご決定手段２２は、かご４０を運転制御するかご制御装置３０に接続されている。
かご制御装置３０は、エレベーター群管理制御装置２０と協働して、複数のかご４０を制御し、割当かご決定手段２２により決定された割当かごを、登録された乗場行先呼びに応答させる。【００１４】
図１において、乗客が待機する乗場で所望の行先ボタン１１が操作されると、所望の行先階が登録され、エレベーター群管理制御装置２０において、乗場行先呼びに応答すべき割当かごが決定され、割当かご表示パネル１２に表示される。【００１５】
すなわち、エレベーター群管理制御装置２０は、行先ボタン１１の操作に応答して、乗場行先呼び登録手段２１により、行先階に対応した乗場行先呼びを登録し、割当かご決定手段２２により、乗場行先呼びに応答すべき割当かごを決定し、割当かご表示形態制御手段２３により、割当かごの表示形態を設定し、割当かご表示手段２４により、割当かご表示パネル１２に割当かごを表示させる。【００１６】
この場合、行先階登録装置１０が設置された乗場において、乗客により４階および７階の行先ボタン１１（太枠参照）が操作され、各行先階に対してＢ号機およびＡ号機が割当てられ（割当かご表示パネル１２内の「Ａ」、「Ｂ」参照）、割当号機が表示された状態を示している。【００１７】
割当かご表示形態制御手段２３は、所定時間を計測する計時手段を有し、割当てかご表示パネル１２に割当かごの表示を開始してから所定時間が経過するまでの期間にわたって、割当かごの表示を第１の表示形態（たとえば、点滅表示）に設定し、割当かごの表示を開始してから所定時間が経過した後は、割当かごの表示を第２の表示形態（たとえば、点灯表示）に設定する。
なお、割当かごの表示形態は、表示色などの違いによっても区別され得る。【００１８】
割当かご表示手段２４は、割当かご表示形態制御手段２３で設定された表示形態で、割当かご表示パネル１２に割当かごを表示させる。
エレベーター群管理制御装置２０およびかご制御装置３０は、マイクロコンピューター（以下、「マイコン」という）により構成されており、エレベーター群管理制御装置２０は、複数台のかご４０を一群として管理し、かご制御装置３０は、各かご４０の運転を制御する。【００１９】
図２はこの発明の実施例１に係るエレベーターの乗場表示装置の回路構成を示すブロック図であり、エレベーター群管理制御装置２０およびかご制御装置３０の構成を示している。
図２において、エレベーター群管理制御装置２０は、中央処理装置（以下、「ＣＰＵ」という）２０Ａと、かご制御装置３０との間でデータの送受信を行う伝送装置２０Ｂと、プログラムおよびデータを格納する記憶装置２０Ｃと、入出力データの信号レベルを変換する変換装置２０Ｄとを備えている。【００２０】
同様に、かご制御装置３０は、ＣＰＵ３０Ａと、エレベーター群管理制御装置２０との間でデータの送受信を行う伝送装置３０Ｂと、プログラムおよびデータを格納する記憶装置３０Ｃと、入出力データの信号レベルを変換する変換装置３０Ｄとを備えている。【００２１】
エレベーター群管理制御装置２０およびかご制御装置３０は、伝送装置２０Ｂ、３０Ｂを介して接続されている。
エレベーター群管理制御装置２０内の変換装置２０Ｄには、乗場の行先階登録装置１０が接続され、かご制御装置３０内の変換装置３０Ｄには、かご４０が接続されている。【００２２】
また、エレベーター群管理制御装置２０内の記憶装置２０Ｃには、乗場行先呼び登録手段２１、割当かご決定手段２２、割当かご表示形態制御手段２３および割当かご表示手段２４の処理プログラムが格納されている。【００２３】
次に、図１および図２とともに、図３のフローチャートを参照しながら、この発明の実施例１による具体的動作について説明する。
図３において、まず、乗場に設置された行先階登録装置１０は、乗場において行先ボタン１１が押されたか否かを判定し（ステップＳ１）、行先ボタン１１が押されていない（すなわち、Ｎｏ）と判定されれば、行先ボタン１１が押されるまでステップＳ１を繰り返し、行先ボタン１１の操作を待機する。【００２４】
一方、ステップＳ１において、行先ボタン１１が押された（すなわち、Ｙｅｓ）と判定されれば、操作された行先ボタン１１の行先ボタン灯を点灯させるとともに、登録した行先階をエレベーター群管理制御装置２０に入力して、乗場行先呼び登録手段２１および割当かご決定手段２２により、乗場行先呼びに応答すべき割当かごを決定させる（ステップＳ２）。【００２５】
続いて、割当かご表示形態制御手段２３および割当かご表示手段２４により、ステップＳ２で決定した割当かご名（たとえば、Ａ号機、Ｂ号機）を、行先階登録装置１０の割当かご表示パネル１２に点滅表示させる（ステップＳ３）。【００２６】
次に、所定時間が経過したか否かを判定し（ステップＳ４）、所定時間が経過していない（すなわち、Ｎｏ）と判定されれば、ステップＳ４を繰り返して所定時間の経過を待機する。
一方、ステップＳ４において、所定時間が経過した（すなわち、Ｙｅｓ）と判定されれば、割当かご表示形態制御手段２３および割当かご表示手段２４は、割当かご表示パネル１２による割当かごの表示形態を点灯表示に切り換える（ステップＳ５）。【００２７】
次に、行先階登録装置１０は、エレベーター群管理制御装置２０およびかご制御装置３０の制御下で、割当かごが、操作された行先ボタン１１（行先階登録装置１０）の設置階に到着したか否かを判定する（ステップＳ６）。
ステップＳ６において、割当かごが到着していない（すなわち、Ｎｏ）と判定されれば、ステップＳ６を繰り返し、割当かごの到着を待機する。
一方、ステップＳ６において、割当かごが到着した（すなわち、Ｙｅｓ）と判定されれば、割当かごが応答した行先ボタン１１の行先ボタン灯を消灯する（ステップＳ７）。【００２８】
最後に、到着した割当かごに対して、乗場行先呼びの階床に対応したかご内行先呼びを自動登録し（ステップＳ８）、自動登録したかご内行先呼びの階床に向けて割当かごを走行させて、図３の処理ルーチンを終了する。
たとえば、ビルの１階に設置された行先階登録装置１０において、図１、図２のように行先ボタン１１が操作され、４階、７階への乗場行先呼びが発生した場合に、４階への乗場行先呼びに応答した割当かご（Ｂ号機）が１階に到着した時点で、４階へのかご内行先呼びがＢ号機に自動登録されて、Ｂ号機は、４階に向けて走行することになる。【００２９】
このように、エレベーター乗場に行先ボタン１１および割当てかご表示パネル１２を有する行先階登録装置１０を設置し、行先階登録装置１０に接続されたエレベーター群管理制御装置２０内に割当かご表示形態制御手段２３を設け、割当てかご表示パネル１２に割当かごの表示を開始してから所定時間にわたって割当かごの表示形態を点滅表示に設定することにより、乗場で待機中の乗客が割当かごを容易に認識することができ、割当かごの到着時にスムーズに乗客に乗車を促すことができる。【００３０】
なお、上記実施例では、ステップＳ３において、割当かご表示パネル１２に表示される割当かご名（Ａ号機、Ｂ号機）を所定時間にわたって点滅させたが、待機中の乗客に対して目立つ表示をさせる表示形態であれば、点滅に限ったものではなく、たとえば、所定時間にわたって表示色を通常時と異なるように設定してもよい。
【実施例２】
【００３１】
なお、上記実施例１では、割当かごの表示を開始してから所定時間にわたって表示形態を特殊設定したが、図４のように、乗場行先ボタン操作検出手段２５を設け、たとえば行先ボタン灯が既に点灯中の行先ボタン１１の操作を検出した場合にも、所定時間にわたって割当かごの表示形態を特殊設定してもよい。
図４はこの発明の実施例２の全体構成を示すブロック図である。
図４において、前述（図１参照）と同様のものについては、前述と同一符号を付して、または、符号の後に「Ｘ」を付して詳述を省略する。【００３２】
この場合、エレベーター群管理制御装置２０Ｘは、行先ボタン１１の操作を検出する乗場行先ボタン操作検出手段２５を備えており、乗場行先ボタン操作検出手段２５からの検出信号は、割当かご表示形態制御手段２３Ｘに入力されている。
これにより、割当かご表示形態制御手段２３Ｘは、行先ボタン１１の操作を検出してから所定時間にわたって、割当かごの表示形態を特殊（たとえば、点滅表示）に設定するようになっている。
なお、この発明の実施例２による回路構成については、図２に示した通りなので説明を省略する。【００３３】
次に、図４とともに、図５のフローチャートを参照しながら、この発明の実施例２による具体的動作について説明する。
図５において、ステップＳ１〜Ｓ９は、前述（図３参照）と同様の処理である。
まず、乗場に設置された行先ボタン１１が押されるまで待機し（ステップＳ１）、行先ボタン１１が押された時点で、行先ボタン１１の行先ボタン灯を点灯させるとともに、応答すべき割当かごを決定する（ステップＳ２）。【００３４】
続いて、決定した割当かご名を割当かご表示パネル１２に点滅表示させ（ステップＳ３）、所定時間の経過を待機し（ステップＳ４）、所定時間が経過した時点で、割当かごの表示形態を点灯表示に切り換える（ステップＳ５）。【００３５】
次に、割当かごが乗場の行先ボタン１１の設置階に到着したか否かを判定し（ステップＳ６）、割当かごが到着していれば、行先ボタン灯の消灯、かご内行先呼び自動登録および行先呼び階への走行（ステップＳ７〜Ｓ９）を実行し、図５の処理ルーチンを終了する。【００３６】
一方、ステップＳ６において、かごが到着していない（すなわち、Ｎｏ）と判定されれば、続いて、行先ボタン１１が押されたか否かを判定する（ステップＳ１０）。
ステップＳ１０において、行先ボタン１１が押されていない（すなわち、Ｎｏ）と判定されれば、ステップＳ６に戻り、割当かごの到着を待機する。【００３７】
一方、ステップＳ１０において、行先ボタン１１が押されている（すなわち、Ｙｅｓ）と判定されれば、割当かごの表示を点滅表示に切り換えて（ステップＳ１１）、所定時間が経過したか否かを判定する（ステップＳ１２）。
このとき、既に行先ボタン灯が点灯中の行先ボタン１１が再度押された場合であっても、割当かご表示パネル１２における割当かごの表示が点滅表示に切り換えられる。【００３８】
ステップＳ１２において、所定時間が経過していない（すなわち、Ｎｏ）と判定されれば、ステップＳ１２を繰り返して所定時間の経過を待機する。
一方、ステップＳ１２において、所定時間が経過した（すなわち、Ｙｅｓ）と判定されれば、割当かごの表示を点灯表示に切り換えて（ステップＳ１３）、ステップＳ６に戻る。【００３９】
このように、割当かご表示形態制御手段２３Ｘは、決定した割当かごの表示後のみならず、乗場行先ボタン操作検出手段２５からの検出信号にも応答して、行先ボタン１１が操作されてから所定時間にわたって、割当かごの表示を特殊な表示形態（たとえば、点滅表示）に設定し、行先ボタン１１が操作されてから所定時間が経過した後は、割当かごの表示を通常の表示形態（点灯表示）に設定することができる。
また、既に点灯中の行先ボタン１１を押した場合でも、乗場行先ボタン操作検出手段２５からの検出信号が割当かご表示形態制御手段２３Ｘに入力されるので、操作直後から所定時間にわたって割当かご表示パネル１２を特殊表示に切り換えることができる。
これにより、前述と同様に、行先ボタン１１を操作した乗客に割当かごを明確に認知させて、割当かごの到着時にスムーズに乗車を促すことができる。
【実施例３】
【００４０】
なお、上記実施例２では、１つの乗場に対して１つの行先階登録装置１０を設置した場合について説明したが、図６、図７のように、１つの乗場に対して複数の行先階登録装置１０、１０Ｂを設置し、行先ボタンが操作された側の行先階登録装置の割当かご表示パネルにおいてのみ割当かごを特殊表示してもよい。【００４１】
図６はこの発明の実施例３の全体構成を示すブロック図であり、図７はこの発明の実施例３の回路構成を示すブロック図である。
図６、図７において、前述（図４、図２参照）と同様のものについては、前述と同一符号を付して、または、符号の後に「Ｙ」を付して詳述を省略する。【００４２】
この場合、行先階登録装置１０が設置された乗場には、第１の行先階登録装置１０のみならず、行先階登録装置１０と同一構成の第２の行先階登録装置１０Ｂが並列に設置されており、それぞれ、エレベーター群管理制御装置２０Ｙに接続されている。
行先階登録装置１０Ｂは、隣接配置された行先ボタン１１Ｂおよび割当かご表示パネル１２Ｂを有する。【００４３】
エレベーター群管理制御装置２０Ｙは、行先階登録装置１０Ｂと割当かご表示形態制御手段２３Ｙとの間に介在された割当かご表示手段２４Ｂおよび乗場行先ボタン操作検出手段２５Ｂを備えている。
割当かご表示手段２４Ｂは、行先階登録装置１０Ｂの割当かご表示パネル１２Ｂに割当かごを表示させ、乗場行先呼び操作検出手段２５Ｂは、行先ボタン１１Ｂが操作されたことを検出すると、検出信号を割当かご表示形態制御手段２３Ｙに入力する。【００４４】
また、エレベーター群管理制御装置２０Ｙ内の乗場行先呼び登録手段２１Ｙには、複数（この場合、２台）の行先階登録装置１０、１０Ｂが接続されており、乗場行先呼び登録手段２１Ｙは、行先階登録装置１０、１０Ｂごとの行先ボタン１１、１１Ｂの操作に応じた乗場行先呼びを登録する。
割当かご表示手段２４、２４Ｂは、割当かご表示形態制御手段２３Ｙにより設定された表示形態で、複数の行先階登録装置１０、１０Ｂごとの各割当てかご表示パネル１２、１２Ｂに割当かごを表示させる。【００４５】
乗場行先ボタン操作検出手段２５、２５Ｂは、行先階登録装置１０、１０Ｂごとの各行先ボタン１１、１１Ｂの操作状態を個別に検出する。
図６において、各行先ボタン１１、１１Ｂの操作に応答して、エレベーター群管理制御装置２０Ｙ内で乗場行先呼びが登録されて割当かごが決定されると、行先階登録装置１０、１０Ｂごとの各割当かご表示パネル１２、１２Ｂに割当かごが表示される。
また、図７において、エレベーター群管理制御装置２０Ｙ内の変換装置２０ＤＹは、行先階登録装置１０、１０Ｂに接続されている。【００４６】
割当かご表示形態制御手段２３Ｙは、割当てかご表示パネル１２、１２Ｂに割当かごの表示を開始してから所定時間が経過するまでの期間にわたって、行先階登録装置１０、１０Ｂのうち、行先ボタンが操作された行先階登録装置１０（または、１０Ｂ）の割当てかご表示パネル１２（または、１２Ｂ）における割当かごの表示を、第１の表示形態（たとえば、点滅表示）に設定し、割当かごの表示を開始してから所定時間が経過した後は、行先ボタン１１（または１１Ｂ）が操作された行先階登録装置の割当てかご表示パネルにおける割当かごの表示を第２の表示形態（たとえば、点灯表示）に設定するようになっている。【００４７】
次に、図６および図７とともに、図８のフローチャートを参照しながら、この発明の実施例３による具体的動作について説明する。
図８において、ステップＳ１〜Ｓ９は、前述（図３、図５参照）と同様の処理である。
また、ステップＳ１０〜Ｓ１３は、前述（図５参照）と同様の処理であり、ステップＳ１４〜Ｓ１７は、ステップＳ１０〜Ｓ１３に対応する処理である。【００４８】
まず、前述と同様に、乗場に設置された行先ボタン１１、１１Ｂが押されるまで待機し（ステップＳ１）、行先ボタン１１、１１Ｂが押されたら行先ボタン灯を点灯するとともに、応答すべき割当かごを決定する（ステップＳ２）。
次に、決定した割当かご名を割当かご表示パネル１２、１２Ｂに点滅表示して（ステップＳ３）、所定時間の経過を待機し（ステップＳ４）、所定時間が経過したら割当かごの表示を点灯表示に切り換える（ステップＳ５）。【００４９】
次に、行先階登録装置１０、１０Ｂ（行先ボタン１１、１１Ｂ）の設置階に割当かごが到着したか否かを判定し（ステップＳ６）、割当かごが到着していれば、ステップＳ７〜Ｓ９を実行する。
一方、割当かごが到着していなければ、第１の行先階登録装置１０の行先ボタン１１が押された否かを判定し（ステップＳ１０）、行先ボタン１１が押されていない（すなわち、Ｎｏ）と判定されれば、第２の行先階登録装置１０Ｂに関する行先ボタン１１Ｂの判定処理（ステップＳ１４）に進む。【００５０】
一方、ステップＳ１０において、行先ボタン１１が押されている（すなわち、Ｙｅｓ）と判定されれば、行先階登録装置１０の割当かご表示パネル１２における割当かごの表示形態を点滅表示に切り換えて（ステップＳ１１）、所定時間の経過を待機する（ステップＳ１２）。
このとき、既に行先ボタン灯が点灯中の行先ボタン１１が再度押された場合であっても、割当かご表示パネル１２における割当かごの表示が点滅表示に切り換えられる。【００５１】
ステップＳ１２において、所定時間が経過した（すなわち、Ｙｅｓ）と判定されれば、行先階登録装置１０の割当かご表示パネル１２における割当かごの表示形態を点灯表示に切り換えて（ステップＳ１３）、第２の行先階登録装置１０Ｂの行先ボタン１１Ｂが押された否かを判定する（ステップＳ１４）。【００５２】
ステップＳ１４において、行先ボタン１１Ｂが押されていない（すなわち、Ｎｏ）と判定されれば、ステップＳ６に戻り、行先ボタン１１Ｂが押されている（すなわち、Ｙｅｓ）と判定されれば、行先階登録装置１０Ｂの割当かご表示パネル１２Ｂにおける割当かごの表示形態を点滅表示に切り換えて（ステップＳ１５）、所定時間の経過を待機する（ステップＳ１６）。
このとき、既に行先ボタン灯が点灯中の行先ボタン１１Ｂが再度押された場合であっても、割当かご表示パネル１２Ｂにおける割当かごの表示が点滅表示に切り換えられる。【００５３】
ステップＳ１６において、所定時間が経過した（すなわち、Ｙｅｓ）と判定されれば、行先階登録装置１０Ｂの割当かご表示パネル１２Ｂにおける割当かごの表示形態を点灯表示に切り換えて（ステップＳ１７）、ステップＳ６に戻る。
ステップＳ７〜Ｓ９の処理については、前述と同様なので、ここでは説明を省略する。【００５４】
このように、同一乗場に複数の行先階登録装置１０、１０Ｂを設置して、各行先階登録装置１０、１０Ｂをエレベーター群管理制御装置２０Ｙに接続することにより、行先ボタン１１、１１Ｂの操作に応答して、行先階に対応する各割当かご表示パネル１２、１２Ｂに割当かごを同時に表示させるとともに、行先階登録装置１０、１０Ｂのうち、操作された方の割当てかご表示パネル１２または１２Ｂのみについて、割当かごの表示が開始してから所定時間にわたって特殊な表示形態（点滅表示、または、異なる表示色）に設定することができる。
また、既に点灯中の行先ボタン１１、１１Ｂを押した場合でも、乗場行先ボタン操作検出手段２５、２５Ｂからの検出信号が割当かご表示形態制御手段２３Ｙに入力されるので、操作された側の割当かご表示パネル１２、１２Ｂに対して、操作直後から所定時間にわたって特殊表示に切り換えることができる。
したがって、前述と同様に、行先ボタン１１、１１Ｂを操作した乗客に割当かごを明確に認知させることができ、割当かごの到着時に、スムーズな乗車を促すことができる。
【図１】
2006067834.tif 000002
【図２】
2006067834.tif 000003
【図３】
2006067834.tif 000004
【図４】
2006067834.tif 000005
【図５】
2006067834.tif 000006
【図６】
2006067834.tif 000007
【図７】
2006067834.tif 000008
【図８】
2006067834.tif 000009
【国際調査報告】
2006067834.tif 000010
2006067834.tif 000011
2006067834.tif 000012
2006067834.tif 000013